(57)【要約】      （修正有）【課題】Ｗｅｂサイトを閲覧するユーザに興味を抱かせ、購買意欲を惹起させる情報を提供することが可能な情報提供装置、情報提供方法、情報提供プログラム及び情報提供プログラムが記憶された記録媒体を提供する。【解決手段】システム制御部２４は、ブログを閲覧するユーザのＷｅｂページの閲覧情報に基づいて商品情報を特定し、特定した商品情報の購買情報を参照して、当該商品が取引された数量が、予め定められた数量を超えた場合に、特定した商品と、特定した商品の購買情報等を含むコンテンツを生成する。【選択図】図４
2012014418.tif 000002
【特許請求の範囲】
【請求項１】
端末とネットワーク介して接続され、前記端末にコミュニティサービスや電子商取引サービスを提供する情報提供装置であって、
前記コミュニティサービスに対応するＷｅｂページの作成者を特定する特定情報を記憶する記憶手段と、
前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得手段と、
前記Ｗｅｂページの属性情報に基いて、所定商品に対応する商品情報を特定する商品特定手段と、
前記商品情報から、当該商品の購買状況を示す購買情報を取得する購買情報取得手段と、
前記購買情報で示される商品の取引された数量が、予め定められた数量を超えた否かを判定する判定手段と、
前記判定手段の判定結果から、前記商品特定手段によって特定された商品と、当該商品の購買情報と、当該商品の商取引を行うためのリンク情報とを有するコンテンツを生成するコンテンツ生成手段と、
前記コンテンツ生成手段が生成したコンテンツを前記コミュニティサービスに含まれるＷｅｂページに設定する設定手段と、
を備えることを特徴とする情報提供装置。
【請求項２】
請求項１に記載の情報提供装置であって、
前記Ｗｅｂページの属性情報から当該Ｗｅｂページを参照した端末数を認定する認定手段を更に有し、
前記コンテンツ生成手段は、前記端末数に応じた前記コンテンツを生成することを特徴とする情報提供装置。
【請求項３】
請求項１又は２に記載の情報提供装置であって、
前記認定手段は、前記Ｗｅｂページの属性情報から、所定の商品における決済情報が表示されている端末数を認定することを特徴とする情報提供装置。
【請求項４】
端末とネットワーク介して接続され、前記端末にコミュニティサービスや電子商取引サービスを提供する情報提供装置における情報提供方法であって、
前記コミュニティサービスに対応するＷｅｂページの作成者を特定する特定情報を記憶する記憶ステップと、
前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得ステップと、
前記Ｗｅｂページの属性情報に基いて、所定商品に対応する商品情報を特定する商品特定ステップと、
前記商品情報から、当該商品の購買状況を示す購買情報を取得する購買情報取得ステップと、
前記購買情報で示される商品の取引された数量が、予め定められた数量を超えた否かを判定する判定ステップと、
前記判定ステップの判定結果から、前記商品特定ステップによって特定された商品と、当該商品の購買情報と、当該商品の商取引を行うためのリンク情報とを有するコンテンツを生成するコンテンツ生成ステップと、
前記コンテンツ生成ステップが生成したコンテンツを前記コミュニティサービスに含まれるＷｅｂページに設定する設定ステップと、
を有することを特徴とする情報提供方法。
【請求項５】
端末とネットワーク介して接続され、前記端末にコミュニティサービスや電子商取引サービスを提供する情報提供装置に含まれるコンピュータを、
前記コミュニティサービスに対応するＷｅｂページの作成者を特定する特定情報を記憶する記憶手段、
前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得手段、
前記Ｗｅｂページの属性情報に基いて、所定商品に対応する商品情報を特定する商品特定手段、
前記商品情報から、当該商品の購買状況を示す購買情報を取得する購買情報取得手段、
前記購買情報で示される商品の取引された数量が、予め定められた数量を超えた否かを判定する判定手段、
前記判定手段の判定結果から、前記商品特定手段によって特定された商品と、当該商品の購買情報と、当該商品の商取引を行うためのリンク情報とを有するコンテンツを生成するコンテンツ生成手段、
前記コンテンツ生成手段が生成したコンテンツを前記コミュニティサービスに含まれるＷｅｂページに設定する設定手段、
として機能させることを特徴とする情報提供プログラム。
【請求項６】
端末とネットワーク介して接続され、前記端末にコミュニティサービスや電子商取引サービスを提供する情報提供装置に含まれるコンピュータを、
前記コミュニティサービスに対応するＷｅｂページの作成者を特定する特定情報を記憶する記憶手段、
前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得手段、
前記Ｗｅｂページの属性情報に基いて、所定商品に対応する商品情報を特定する商品特定手段、
前記商品情報から、当該商品の購買状況を示す購買情報を取得する購買情報取得手段、
前記購買情報で示される商品の取引された数量が、予め定められた数量を超えた否かを判定する判定手段、
前記判定手段の判定結果から、前記商品特定手段によって特定された商品と、当該商品の購買情報と、当該商品の商取引を行うためのリンク情報とを有するコンテンツを生成するコンテンツ生成手段、
前記コンテンツ生成手段が生成したコンテンツを前記コミュニティサービスに含まれるＷｅｂページに設定する設定手段、
として機能させることを特徴とする情報提供プログラムが記録された記録媒体。
【発明の詳細な説明】
【技術分野】
【０００１】
本発明は、インターネット等のネットワークを介して情報を提供する情報提供装置等の技術分野に関する。
【背景技術】
【０００２】
近年、インターネット等を介して行われる電子商取引では、ネットワークが有する利便性を利用した取引の円滑化及び売上高の増加等を目的として、ユーザに様々な情報が提供されている。
【０００３】
なお、特許文献１では、顧客に関する情報を用いて顧客の分析を行い、分析結果を用いて顧客毎に適切な商品情報を提供する技術が開示されている。
【先行技術文献】
【特許文献】
【０００４】
【特許文献１】特開２００４−１８５５９８号公報
【発明の概要】
【発明が解決しようとする課題】
【０００５】
しかしながら、顧客情報の分析に応じて、商品情報を提供することで、必ずしも売上に貢献するとは限らない。
【０００６】
例えば、商品情報が示す情報からでは、ユーザが購買の決定を判断することが困難な場合や、分析範囲外から商品の購買を躊躇してしまう商品情報を取得した場合などが、一例として挙げられる。
【０００７】
このように、分析した商品情報を単に提供しただけでは、ユーザが、その提供された商品の購入を躊躇した場合に、対象商品に対して興味を持たせ、購買意欲を惹起させることが困難であった。
【０００８】
本発明は、上述した点等に鑑みてなされたものであり、Ｗｅｂサイトを閲覧するユーザに興味を抱かせ、購買意欲を惹起させる情報を提供することが可能な情報提供装置、情報提供方法、情報提供プログラム及び情報提供プログラムが記憶された記録媒体を提供することを目的とする。
【課題を解決するための手段】
【０００９】
上記課題を解決するために、請求項１に記載の発明は、端末とネットワーク介して接続され、前記端末にコミュニティサービスや電子商取引サービスを提供する情報提供装置であって、前記コミュニティサービスに対応するＷｅｂページの作成者を特定する特定情報を記憶する記憶手段と、前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得手段と、前記Ｗｅｂページの属性情報に基いて、所定商品に対応する商品情報を特定する商品特定手段と、前記商品情報から、当該商品の購買状況を示す購買情報を取得する購買情報取得手段と、前記購買情報で示される商品の取引された数量が、予め定められた数量を超えた否かを判定する判定手段と、前記判定手段の判定結果から、前記商品特定手段によって特定された商品と、当該商品の購買情報と、当該商品の商取引を行うためのリンク情報とを有するコンテンツを生成するコンテンツ生成手段と、前記コンテンツ生成手段が生成したコンテンツを前記コミュニティサービスに含まれるＷｅｂページに設定する設定手段と、を備えることを特徴とする。
【００１０】
従って、提供された情報に示される商品の購入を躊躇した場合（迷った場合）であっても、Ｗｅｂサイトを閲覧するユーザに興味を抱かせ、購買意欲を惹起させる情報を提供することができる。
【００１１】
請求項２に記載の発明は、請求項１に記載の情報提供装置であって、前記Ｗｅｂページの属性情報から当該Ｗｅｂページを参照した端末数を認定する認定手段を更に有し、前記コンテンツ生成手段は、前記端末数に応じた前記コンテンツを生成することを特徴とする。
【００１２】
従って、提供された情報に示される商品が他のユーザにも閲覧されていることを把握することができるため、安心して当該商品を購入しようと決断するきっかけを与え、よりユーザに興味を抱かせ、購買意欲を惹起させる情報を提供することができる。
【００１３】
請求項３に記載の発明は、請求項１又は２に記載の情報提供装置であって、前記認定手段は、前記Ｗｅｂページの属性情報から、所定の商品における決済情報が表示されている端末数を認定することを特徴とする。
【００１４】
従って、提供された情報に示される商品を購入した他のユーザについての情報を把握することができるため、安心して当該商品を購入しようと決断するきっかけを与え、よりユーザに興味を抱かせるとともに、購買意欲を惹起させる情報を提供することができる。
【００１５】
請求項４に記載の発明は、端末とネットワーク介して接続され、前記端末にコミュニティサービスや電子商取引サービスを提供する情報提供装置における情報提供方法であって、前記コミュニティサービスに対応するＷｅｂページの作成者を特定する特定情報を記憶する記憶ステップと、前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得ステップと、前記Ｗｅｂページの属性情報に基いて、所定商品に対応する商品情報を特定する商品特定ステップと、前記商品情報から、当該商品の購買状況を示す購買情報を取得する購買情報取得ステップと、前記購買情報で示される商品の取引された数量が、予め定められた数量を超えた否かを判定する判定ステップと、前記判定ステップの判定結果から、前記商品特定ステップによって特定された商品と、当該商品の購買情報と、当該商品の商取引を行うためのリンク情報とを有するコンテンツを生成するコンテンツ生成ステップと、前記コンテンツ生成ステップが生成したコンテンツを前記コミュニティサービスに含まれるＷｅｂページに設定する設定ステップと、を有することを特徴とする。
【００１６】
請求項５に記載の発明は、端末とネットワーク介して接続され、前記端末にコミュニティサービスや電子商取引サービスを提供する情報提供装置に含まれるコンピュータを、前記コミュニティサービスに対応するＷｅｂページの作成者を特定する特定情報を記憶する記憶手段、前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得手段、前記Ｗｅｂページの属性情報に基いて、所定商品を示す商品情報を特定する商品特定手段、前記商品情報が示す商品の取引状況を示す取引情報と、前記取引情報により定められる購買情報とを取得する購買情報取得手段、前記購買情報で示される商品の取引された数量が、予め定められた数量を超えた否かを判定する判定手段、前記判定手段の判定結果から、前記商品特定手段によって特定された商品と、当該商品の購買情報と、当該商品の商取引を行うためのリンク情報とを有するコンテンツを生成するコンテンツ生成手段、前記コンテンツ生成手段が生成したコンテンツを前記コミュニティサービスに含まれるＷｅｂページに設定する設定手段、として機能させることを特徴とする。
【００１７】
請求項６に記載の発明は、端末とネットワーク介して接続され、前記端末にコミュニティサービスや電子商取引サービスを提供する情報提供装置に含まれるコンピュータを、前記コミュニティサービスに対応するＷｅｂページの作成者を特定する特定情報を記憶する記憶手段、前記電子商取引サービスにて使用されるＷｅｂページが、前記端末に送信された場合に、前記端末のＷｅｂブラウザに書き込まれる情報をＷｅｂページの属性情報とし、前記Ｗｅｂページの属性情報を取得する属性情報取得手段、前記Ｗｅｂページの属性情報に基いて、所定商品を示す商品情報を特定する商品特定手段、前記商品情報が示す商品の取引状況を示す取引情報と、前記取引情報により定められる購買情報とを取得する購買情報取得手段、前記購買情報で示される商品の取引された数量が、予め定められた数量を超えた否かを判定する判定手段、前記判定手段の判定結果から、前記商品特定手段によって特定された商品と、当該商品の購買情報と、当該商品の商取引を行うためのリンク情報とを有するコンテンツを生成するコンテンツ生成手段、前記コンテンツ生成手段が生成したコンテンツを前記コミュニティサービスに含まれるＷｅｂページに設定する設定手段、として機能させることを特徴とする情報提供プログラムが記録された記録媒体である。
【発明の効果】
【００１８】
本発明によれば、Ｗｅｂサイトを閲覧するユーザに興味を抱かせ、購買意欲を惹起させる情報を提供することができる。
【図面の簡単な説明】
【００１９】
【図１】本発明の一実施形態に係る情報提供システムＳの概要構成の一例を示す図である。
【図２】本発明の一実施形態に係るショッピングサーバ３の概要構成の一例を示すブロック図である。
【図３】各種データベースに登録される内容の一例を示す図である。
【図４】本発明の一実施形態に係るアプリサーバ４の概要構成の一例を示すブロック図である。
【図５】各種データベースに登録される内容の一例を示す図である。
【図６】本発明の一実施形態におけるブログ情報を示す画面例である。
【図７】本発明の一実施形態におけるガジェットを示す画面例である。
【図８】本発明の一実施形態に係る情報提供システムＳの動作を示すシーケンス図である。
【図９】商品の表示画像の大きさを変更した場合の画面例である。
【図１０】他の画面例を示す図である。
【発明を実施するための形態】
【００２０】
［１．情報提供システムの構成及び機能概要］
以下、図面を参照して本発明の一実施形態に説明する。なお、以下に説明する実施の形態は、情報提供システムに対して本発明を適用した場合の実施形態である。
【００２１】
まず、本発明の一実施形態に係る情報提供システムＳの構成及び概要機能について、図１を用いて説明する。
【００２２】
図１は、本発明の一実施形態に係る情報提供システムＳの概要構成の一例を示す図である。
【００２３】
図１に示すように、情報提供システムＳは、複数のユーザ端末１−ｋ（ｋ＝１、２〜ｎ）（以下、「ユーザ端末１−ｋ」とする。）と、複数のユーザ端末２−ｋ（以下、「ユーザ端末２−ｋ」とする。）と、ショッピングサーバ３と、アプリサーバ４と、を含んで構成されている。
【００２４】
ユーザ端末１−ｋ、ユーザ端末２−ｋ、ショッピングサーバ３、及びアプリサーバ４は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２５】
このような構成の情報提供システムＳにおいて、ユーザ端末１−ｋは、Ｗｅｂブラウザを有しており、このＷｅｂブラウザは、ショッピングサーバ３やアプリサーバ４が管理するＷｅｂページを取得し、ディスプレイ上に表示する。
【００２６】
そして、ユーザ端末２−ｋは、アプリサーバ４に対して、例えば、ブログ情報を投稿する端末とする。
【００２７】
なお、ユーザ端末１−ｋや、ユーザ端末２−ｋは、例えば、パーソナルコンピュータ（ＰＣ）、携帯電話機、携帯情報端末 （ＰＤＡ：Personal Digital Assistant）、又は、スマートフォンが例として挙げられる。
【００２８】
また、説明の便宜上、ユーザ端末１−ｋは、ショッピングサーバ３やアプリサーバ４が管理するＷｅｂページを取得し、ディスプレイ上に表示するものとし、ユーザ端末２−ｋは、アプリサーバ４に対して、例えば、ブログ情報（例えば、ブログ記事等）を投稿するとしていたが、これに限定されないものする。例えば、ユーザ端末１−ｋが、アプリサーバ４に対して、ブログ情報を投稿してもよい。
【００２９】
ショッピングサーバ３は、電子商取引サービスを提供するＷｅｂサーバである。この電子商取引サービスとは、例えば、仮想商店街、ショッピングサイトを示すものとする。
【００３０】
このショッピングサーバ３は、ユーザ端末１−ｋからのＨＴＴＰ（Hyper Text Transfer Protocol）リクエストに応じて、ショッピングサイトを構成するＷｅｂページを、例えば、ユーザ端末１−ｋに送信する。
【００３１】
ユーザ端末１−ｋに送信されたＷｅｂページには、例えば、店舗サイトで取扱われる商品に関する商品情報を含むＷｅｂページや当該商品を購入するためのユーザインターフェース等が含まれるものとする。
【００３２】
そして、ショッピングサーバ３は、例えば、自装置で管理するＷｅｂページの閲覧リクエストに基いて、所定の商品情報の検索や購入等の処理を行う。
【００３３】
更に、ショッピングサーバ３は、各種ユーザ端末に対して送信するＷｅｂページや、各種ユーザ端末のＷｅｂブラウザのお気に入りに対応するアドレス一覧を後述するデータベースに記憶する。
【００３４】
また、このデータベースには、各種ユーザ端末とショッピングサーバ３との間における購買情報が記憶されている。例えば、ユーザ端末１−ｋとショッピングサーバ３で取り扱われる商品の取引状況を示す取引情報や、その取引情報によって定められる購買履歴を示す購買履歴情報が記憶されている。
【００３５】
次に、ショッピングサーバ３が行う処理の概要について説明する。なお、以下、ユーザ端末１−ｋを購入者が使用する端末として説明する。
【００３６】
まず、ショッピングサーバ３は、例えば、ユーザ端末１−ｋを識別するクッキー（cookie）を取得し、取得したクッキーに含まれる情報からユーザ端末１−ｋを識別するユーザ識別情報をデータベースに記憶する。なお、このユーザ識別情報に含まれる各種情報については後述するものとする。
【００３７】
このクッキーについては、公知の技術であるため詳しい説明は省略するが、クッキーは、Ｗｅｂブラウザに搭載された機能で、ショッピングサーバ３から送信された情報をユーザ端末１−ｋ上に保存し、ショッピングサーバ３からのリクエストに応じて、例えば、ユーザ端末１−ｋからショッピングサーバ３へ送り返す仕組みをいう。
【００３８】
そして、ショッピングサーバ３がユーザ端末１−ｋのクッキーを更新する際は、ＨＴＴＰヘッダ（例えば、set-cookie）をショッピングサーバ３からユーザ端末１−ｋに送信する。
【００３９】
前記ＨＴＴＰヘッダには、ユーザ端末１−ｋを識別するユーザ識別情報と共に、Ｗｅｂブラウザのお気に入りに対応するアドレスを、ユーザ端末１−ｋのクッキーに書き込まれる処理を示す処理命令が記述されている。
【００４０】
このクッキーには、例えば、ユーザ端末１−ｋにより閲覧されたＷｅｂページの履歴情報（例えば、閲覧されたＷｅｂページのＵＲＬ、内容、日時、当該Ｗｅｂページを閲覧していた期間等）等が含まれている。
【００４１】
また、購買履歴情報は、ショッピングサーバ３で取り扱われる商品の取引状況に関する取引情報が含まれており、更に、当該商品を購入したユーザ（商品を取引した利用者）を識別する購買者識別情報（例えば、購入者名、購入者ＩＤ、氏名、性別、年齢、住所等）、取引が行われた日時、取引が行われた店舗サイト名、その他商品の購買に関する購買情報等の情報が商品毎に記憶されている。なお、購入者ＩＤは、ユーザ識別情報を用いて作成されるものとする。
【００４２】
ショッピングサーバ３は、この購買履歴情報を用いて、ある商品が取引される状況をユーザ毎又は商品毎にリアルタイムに把握することができる。即ち、ショッピングサーバ３が提供する電子商取引サービスで取り扱われる商品の取引に関する時刻を示す情報や、その商品の取引に関するユーザ識別情報を把握することができる。
【００４３】
アプリサーバ４は、例えば、ブログサイト、又はＳＮＳ（Social Networking Service）サイトといったコミュニティサービス等を管理するサーバ装置を示すものとする。なお、以下、ユーザ端末２−ｋをブログ投稿者が使用する端末として説明するものとする。
【００４４】
具体的には、ユーザ端末２−ｋから投稿されてきたブログ記事や、ブログ記事に関するブログ情報を記憶し、ユーザ端末１−ｋからのＨＴＴＰリクエストに応じて、記憶しているブログ記事やブログ情報をユーザ端末１−ｋに送信するＷｅｂサーバである。
【００４５】
そして、アプリサーバ４は、ユーザ端末２−ｋから受信したＷｅｂページから、ブログ作成者を特定するための特定情報（例えば、ブログＩＤ）を特定し、特定したブログＩＤをキーにして、例えば、上述したコミュニティサービスにより提供されるコミュニティサイトを構成するＷｅｂページを記憶する。
【００４６】
更に、本実施形態におけるアプリサーバ４は、ショッピングサーバ３から送信されたユーザ端末１−ｋのＷｅｂページの閲覧情報に基いて所定の商品を特定し、特定した商品の購買履歴情報を参照して、当該商品が取引された数量が、予め定められた数量を超えた場合に、特定した商品と、特定した商品の購買履歴情報とを含むＷｅｂコンテンツ（例えば、ユーザ端末１−ｋに表示するガジェット）を生成する。
【００４７】
そして、アプリサーバ４により作成されたガジェットが、ユーザ端末２−ｋから投稿されるブログ記事に表示される。そのガジェット内には、所定の商取引を行うためのリンク情報が表示される。
【００４８】
このリンク情報は、詳しくは後述するが、電子商取引サービスを構成するＷｅｂページへ遷移するためのリンク（ハイパーリンク）が含まれており、例えば、この商品を販売する店舗サイトのＷｅｂページへ遷移するためのリンク（ハイパーリンク）が含まれており、このリンク情報がユーザの所定の操作に基いて選択（例えば、マウスによるクリック等）されると、当該商品を購入するためのユーザインターフェース等が含まれたＷｅｂページ等へ遷移するようになっている。
【００４９】
ユーザ端末１−ｋが、アプリサーバ４により管理されるブログを閲覧した場合を例にあげて説明する。この場合、アプリサーバ４は、ユーザ端末１−ｋのＷｅｂブラウザのお気に入りに登録されているＵＲＬに含まれる商品を特定する。そして、特定された商品が、他のユーザによって所定の数量が取引された場合に上記商品の取引される様子が、ユーザ端末１−ｋに表示されるブログ記事やブログ情報に表示される。
【００５０】
具体的には、ユーザ端末１−ｋに、商品の取引の様子が、リアルタイムにてアプリサーバ４によって作成されたガジェット内に表示される。そして、当該表示に設定されたリンク情報を選択することにより、上記商品を購入することができる。
【００５１】
そして、アプリサーバ４は、上記リンク情報を経由して商取引が行われた場合は、アプリサーバ４から送信されたブログを生成した者に詳しくは後述する報酬を支払うようになっている。
【００５２】
なお、図１の例では、説明の便宜上、一つのショッピングサーバ３及びアプリサーバ４が示されているが、多数存在するようにしてもよい。また、本実施形態において、各出店者は複数の店舗（例えば、支店）を出店できるようになっている。また、ユーザ端末１−ｋ及びユーザ端末２−ｋは、利用者毎に多数存在する。
【００５３】
［２．ショッピングサーバ３の構成及び機能］
次に、ショッピングサーバ３の構成及び機能について、図２及び図３を用いて説明する。
【００５４】
図２は、本発明の一実施形態に係るショッピングサーバ３の概要構成の一例を示すブロック図である。
【００５５】
図２に示すように、ショッピングサーバ３は、通信部１１と、記憶部１２と、入出力インターフェース部１３と、システム制御部１４と、を備えている。そして、システム制御部１４と入出力インターフェース部１３とは、システムバス１５を介して接続されている。
【００５６】
通信部１１は、ネットワークＮＷに接続して、ユーザ端末１−ｋ及びアプリサーバ４との通信状態を制御するようになっている。
【００５７】
記憶部１２は、例えば、ハードディスクドライブ等により構成されており、オペレーティングシステム及びサーバプログラム等の各種プログラムを記憶する。なお、各種プログラムは、例えば、他のサーバ装置等からネットワークＮＷを介して取得されるようにしても良いし、記録媒体に記録されてドライブ装置を介して読み込まれるようにしても良い。
【００５８】
また、記憶部１２には、会員データベース（ＤＢ）１２１、認証データベース（ＤＢ）１２２、店舗データベース（ＤＢ）１２３、商品情報データベース（ＤＢ）１２４、ブラウザ属性情報（本実施形態における「Ｗｅｂページの属性情報」の一例）データベース（ＤＢ）１２５、及び購買履歴情報データベース（ＤＢ）１２６が構築されている。
【００５９】
ここで、図３を用いて、各種データベースに登録される内容の一例について説明する。
【００６０】
図３は、各種データベースに登録される内容の一例を示す図である。
【００６１】
図３（Ａ）に示す会員データベース（ＤＢ）１２１には、会員登録されたユーザ（例えば、図１で示したショッピングサーバ３や、アプリサーバ４が管理するサイトの利用者）のユーザＩＤ、名前、性別、年齢、住所、電話番号、メールアドレス等の属性情報が登録されている。この属性情報は、ユーザＩＤによってユーザ毎に判別可能になっている。ここで、ユーザＩＤは、ユーザを識別するための情報を示し、これまで説明してきたユーザ識別情報を示すものとする。
【００６２】
このユーザＩＤ及び属性情報は、店舗サイト、ＳＮＳサイト、ブログサイトを利用するユーザを識別するための識別情報として用いられるようにしてもよい。
【００６３】
図３（Ｂ）に示す認証データベース（ＤＢ）１２２には、ユーザ端末１−ｋのユーザのユーザＩＤ、ログインＩＤ、及びパスワードが登録されている。ここで、ログインＩＤ及びパスワードは、ログイン処理（ユーザの認証処理）に使用されるログイン情報である。なお、認証データベース１２２は、会員データベース１２１に含まれてもよい。
【００６４】
図３（Ｃ）に示す店舗データベース（ＤＢ）１２３には、出店者の店舗ＩＤ、名称、住所、商品情報、イベント情報（例えば、バーゲン情報等）、電話番号、配達可能地域、及び配達可能時間等の店舗情報が登録されている。この店舗情報は、店舗ＩＤによって出店者毎に判別可能になっている。ここで、店舗ＩＤは、出店者を識別するための識別子である。また、商品情報には、例えば、店舗で取り扱う商品の名称、価格、スペック、及び商品の紹介等の情報、商品レビューが含まれる。
【００６５】
また、イベント情報には、例えば、店舗で開催されるバーゲン情報やその他のイベント情報が含まれる。
【００６６】
バーゲンとは、例えば、所定の期間（時間を含む）に商品を購入した者に、購入金額から所定の金額を返金（還付）するイベント等を示す。そして、バーゲン情報には、上記イベントの内容、開催される日時、又は期間等が含まれる。
【００６７】
その他のイベントとは、例えば、購入者に所定の記念品を贈呈するイベントや、当該店舗のみで限定商品を販売するイベント等を示す。そして、その他のイベント情報には、上記その他のイベントの内容、開催される日時、期間等が含まれる。
【００６８】
また、出店者が複数の店舗（例えば、支店）を出店する場合、店舗データベース１２３には、住所、電話番号、商品情報、配達可能地域、及び配達可能時間が店舗毎に区別されて登録される。
【００６９】
図３（Ｄ）に示す商品情報ＤＢ１２４には、上記商品情報の詳細が、商品ＩＤと対応付けて登録されている。商品情報の詳細には、商品名、商品種別、販売価格、商品コード、商品の内容等の商品に関連する情報が含まれる。この商品情報は、商品ＩＤによって商品毎に判別可能になっている。ここで、商品ＩＤは、商品を識別するための識別子である。
【００７０】
この商品ＩＤは任意に選択、設定することができ、例えば、商品の一般名称、商品のＪＡＮコード、商品の略称等を適用するようにしてもよい。
【００７１】
図３（Ｅ）に示すブラウザ属性情報ＤＢ１２５には、上述したようにクッキーに書き込まれた上述したＷｅｂページの属性を示す各種情報がユーザＩＤをキーとして記憶されている。
【００７２】
ブラウザ属性情報ＤＢ１２５によって、ユーザ端末１−ｋが判別可能になっている。
【００７３】
上記クッキーに含まれる各種情報には、ユーザ端末１−ｋにより閲覧請求されたＷｅｂページの履歴情報等が記憶されている。
【００７４】
具体的には、ユーザ端末１−ｋへ送信したＷｅｂページのＵＲＬ、Ｗｅｂページの内容、送信した日時、閲覧した期間、及びユーザ端末１−ｋのＩＰアドレス情報等が含まれている。
【００７５】
上記Ｗｅｂページの内容として具体的には、上述したように、ショッピングサイトを構成する画面情報（メニュー画面）、店舗サイトで取扱われる商品に関する情報の表示画面を構成する画面情報や、当該商品を購入するためのユーザインターフェース等が含む情報を示すものとする。
【００７６】
更に詳細には、上記Ｗｅｂページの内容として、ショッピングサーバ３に属する店舗サイトで取り扱われる各商品の画像、商品名、略称、商品の説明、ＪＡＮコード、製造又は販売会社名、メーカー品番（型番）、当該商品の定価、販売価格、発送方法のほか、当該商品に関連する商品（例えば、当該商品がカメラであった場合には、カメラ用のストラップ、ケース、三脚等の付属品に関する情報等）等の情報が含まれるが、これに限定されることはなく、任意に表示させることができる。
【００７７】
また、Ｗｅｂページを閲覧したユーザのＩＰアドレス情報は、例えば、ユーザ端末１−ｋとの間で確立された通信においてショッピングサーバ３によって取得されたものである。
【００７８】
ショッピングサーバ３は、受信したＩＰアドレス情報を、ユーザＩＤに対応付けて記憶する。このように構成することによって、例えば、外部のサーバ装置等が、ＩＰアドレス情報に基いて、ＩＰアドレスに対応する上記履歴情報を取得することもできる。
【００７９】
図３（Ｆ）に示す購買履歴情報ＤＢ１２６には、上述したようにショッピングサーバ３で取り扱われる商品の取引に関する情報が含まれており、当該商品を購入した購入者に関する情報（例えば、購入者名、購入者ＩＤ，氏名、性別、年齢、住所等）、購入店舗ＩＤ（当該商品が購入された店舗の店舗ＩＤ）、購入日時情報（取引が行われた日時）、購入数量情報（当該商品が購入された数量）、購入金額情報（当該商品の売り上げ金額）等の情報が、商品毎に商品ＩＤに対応付けて記憶されている。
【００８０】
従って、上述したように図１に示したアプリサーバ４が、この購買履歴ＤＢ１２６を参照することによって、商品ＩＤに示される商品が取引（販売）される様子をユーザ識別情報、購入者ＩＤ又は商品ＩＤ毎にリアルタイムに（即ち、ショッピングサーバ３で取り扱われる商品が何時、どのユーザによって、どの店舗サイトで取引されたのかを）取得することができる。
【００８１】
なお、購入店舗ＩＤには、商品ＩＤに示される商品が購入された店舗ＩＤが記憶されるようにしてもよい。これにより、アプリサーバ４は、購買履歴ＤＢ１２６に記憶される購入店舗ＩＤから、店舗ＤＢ１２３に記憶される店舗ＩＤに対応したイベント情報を取得することができる。
【００８２】
入出力インターフェース部１３は、通信部１１及び記憶部１２とシステム制御部１４との間のインターフェース処理を行うようになっている。
【００８３】
システム制御部１４は、ＣＰＵ（Central Processing Unit）１４ａ、ＲＯＭ（Read Only Memory）１４ｂ、ＲＡＭ（Random Access Memory）１４ｃ等により構成されている。
【００８４】
そして、システム制御部１４は、ＣＰＵ１４ａが、ＲＯＭ１４ｂや記憶部１２に記憶された各種プログラムを読み出し実行することにより、ショッピングサーバ３の各部を制御する。
【００８５】
なお、ショッピングサーバ３を、例えば、各種データベースを管理するサーバ、商品の検索処理を行う検索処理サーバ、各種情報を提供するＷＷＷサーバ等の複数のサーバ装置により構成してもよい。
【００８６】
［３．アプリサーバ４の構成及び機能］
次に、アプリサーバ４の構成及び機能について、図４及び図５を用いて説明する。
【００８７】
図４は、本発明の一実施形態に係るアプリサーバ４の概要構成の一例を示すブロック図である。
【００８８】
図４に示すように、アプリサーバ４は、通信部２１と、記憶部２２と、入出力インターフェース部２３と、システム制御部２４と、を備えている。そして、システム制御部２４と入出力インターフェース部２３とは、システムバス２５を介して接続されている。
【００８９】
通信部２１は、ネットワークＮＷに接続して、ユーザ端末１−ｋ、ユーザ端末２−ｋ、及びショッピングサーバ３との通信状態を制御するようになっている。
【００９０】
記憶部２２は、例えば、ハードディスクドライブ等により構成されており、オペレーティングシステム及びサーバプログラム等の各種プログラムを記憶する。なお、各種プログラムは、例えば、他のサーバ装置等からネットワークＮＷを介して取得されるようにしても良いし、記録媒体に記録されてドライブ装置を介して読み込まれるようにしても良い。
【００９１】
また、記憶部１２には、会員データベース（ＤＢ）２２１、認証データベース（ＤＢ）２２２、Ｗｅｂページデータベース（ＤＢ）２２３、特定情報データベース（ＤＢ）２２４、及び表示制御情報データベース（ＤＢ）２２５が構築されている。
【００９２】
ここで、図５を用いて、各種データベースに登録される内容の一例について説明する。
【００９３】
図５は、各種データベースに登録される内容の一例を示す図である。
【００９４】
図５（Ａ）に示す会員データベース（ＤＢ）２２１には、例えば、図１に示したユーザ端末２−ｋからブログの投稿を受付ける会員を識別するブログＩＤ、ブログの名称、会員の住所、電話番号、メールアドレス等の属性情報が登録されている。この属性情報は、ブログＩＤによってユーザ毎に判別可能になっている。
【００９５】
図５（Ｂ）に示す認証データベース（ＤＢ）２２２には、上記会員登録されたブログＩＤ、ログインＩＤ、及びパスワードが登録されている。ここで、ログインＩＤ及びパスワードは、ログイン処理に使用されるログイン情報である。なお、認証データベース２２２は、会員データベース２２１に含まれてもよい。
【００９６】
図５（Ｃ）に示すＷｅｂページデータベース（ＤＢ）２２３には、ユーザ端末２−ｋによって作成されたＷｅｂページを構成するためのＨＴＭＬ（Hyper Text Markup Language）文書ファイル、ＸＭＬ（eXtensible Markup Language）文書ファイル、ＸＨＴＭＬ（Extensible HyperText Markup Language）文書ファイル、その他のプログラミング言語で記述されたファイル等が、ユーザＩＤと対応付けられて記憶されている。
【００９７】
上記Ｗｅｂページの詳細については後述する。
【００９８】
図５（Ｄ）に示すユーザ特定情報データベース（ＤＢ）２２４には、特定のユーザに対して支払われる報酬が図３に示したユーザＩＤと、ブログＩＤとに対応付けて登録されている。
【００９９】
具体的には、アプリサーバ４がユーザ端末１−ｋに送信する報酬情報と、アプリサーバ４がユーザ端末２−ｋに送信する報酬情報とが各種ＩＤをキーにして登録されている。
なお、報酬及び報酬情報については、後述する。
【０１００】
図５（Ｅ）に示す表示制御情報データベース（ＤＢ）２２５には、上述したユーザが閲覧するブログ画面に表示する情報として設定される特定された商品の表示態様のパラメータを示す情報が、特定された商品の商品ＩＤと対応付けて登録されている。
【０１０１】
上記特定された商品の表示態様及びパラメータについての詳細は後述するが、閾値は商品ＩＤが示す商品に対して所定の値（スコア）をつけたものであり、表示速度は上記特定された商品を表示する速さを示したものであり、表示時間は特定された商品を表示する時間を示したものである。
【０１０２】
入出力インターフェース部２３は、通信部２１及び記憶部２２とシステム制御部２４との間のインターフェース処理を行うようになっている。
【０１０３】
システム制御部２４は、ＣＰＵ（Central Processing Unit）２４ａ、ＲＯＭ（Read Only Memory）２４ｂ、ＲＡＭ（Random Access Memory）２４ｃ等により構成されている。
【０１０４】
そして、システム制御部２４は、ＣＰＵ２４ａが、ＲＯＭ２４ｂや記憶部２２に記憶された各種プログラムを読み出し実行することにより、ショッピングサーバ３の各部を制御すと共に、記憶手段、属性情報取得手段、商品特定手段、購買情報取得手段、判定手段、コンテンツ生成手段、設定手段、認定手段として機能するようになっている。
【０１０５】
なお、アプリサーバ４を、例えば、各種データベースを管理するサーバ、商品の検索処理を行う検索処理サーバ、各種情報を提供するＷＷＷサーバ等の複数のサーバ装置により構成してもよい。
【０１０６】
［４．ブログ情報の表示］
次に、アプリサーバ４からユーザ端末１−ｋに送信されるブログ情報の表示態様について、図６〜図７を用いて説明する。
【０１０７】
ＷｅｂページＤＢ２２３に記憶されるＷｅｂページは、ブログ記事が例として挙げられ、アプリサーバ４によって運用されるブログサイトを構成する。
【０１０８】
以下、図６を用いて、具体的に説明する。
【０１０９】
図６のＷｅｂブラウザ３１には、メニューバー３２を備えると共に、読み込んだ検索結果ページを表示する表示エリア３３を備える。メニューバー３２は、Ｗｅｂブラウザに関する各種設定を行うためのボタンや、表示エリア３３に表示されているＷｅｂページのＵＲＬを表示するアドレス表示部等を有する。
【０１１０】
表示エリア３３には、ボタン３４、ブログ記事表示部３５、及び情報表示部３６等が表示される。
【０１１１】
ボタン３４は、表示エリア３３に表示される内容を切り替えるための指示を行うためのボタンであり、ホームボタン、日記ボタン、プロフィールボタン、オークションボタン、掲示板ボタン、及びお気に入りボタンの各ボタンが表示されている。
【０１１２】
ホームボタンは、上記ブログのホームページとして設定された画面を表示するためのボタンである。このホームページは、例えば、ユーザ端末１−ｋからの当該ブログへアクセスするためのＨＴＴＰリクエストが送信された場合に、最初にユーザ端末１−ｋへ送信される画面情報である。
【０１１３】
日記ボタンは、登録されたユーザによって日々更新される記事（即ちブログの記事）を、表示エリア３３に時系列に表示するためのボタンである。
【０１１４】
プロフィールボタンは、登録されたユーザによって生成された自己を詳細する紹介文、画像その他の個人情報を、表示エリア３３に表示させるためのボタンである。
【０１１５】
オークションボタンは、登録されたユーザがオークションに出品している場合に、出品情報を、表示エリア３３に表示させるためのボタンである。
【０１１６】
掲示板ボタンは、登録されたユーザが開設する掲示板（参加者が自由に文章などを投稿し、書き込みを連ねていくことでコミュニケーションできるＷｅｂページ。ＣＧＩ等で記述される。）を、表示エリア３３に表示させるためのボタンである。
【０１１７】
お気に入りボタンは、登録されたユーザが、他のユーザが開設するブログのうち自己が気に入ったものを登録した情報を、表示エリア３３に表示させるためのボタンである。
【０１１８】
ブログ記事表示部３５は、上述したブログの記事が表示される。ブログの記事は、上述したように、登録されたユーザにより日々更新される記事である。そして、ブログ記事表示部３５には、この記事に対して、当該記事を閲覧する者がリンクを張ると共に、当該閲覧者の個人的な意見、批評、解説等のコメントが書き加えられ、これらの情報が時系列に記述される。
【０１１９】
情報表示部３６は、上記記事以外の各種情報が表示されるようになっており、図６ではその一例として、登録したユーザのプロフィールの一部や、カレンダー等が表示されている。
【０１２０】
このブログ記事表示部３５及び情報表示部３６に表示される内容は、例えば、アプリサーバ４が用意した所定の入力フォームを用いて入力されるようになっている。例えば、登録されたユーザは、アプリサーバ４による認証処理を経てログインすることにより、上記入力フォームに種々の情報を入力することができる。
【０１２１】
次に、図７を用いて、システム制御部２４（図４参照）のコンテンツ生成手段によって作成されるガジェットについて説明する。
【０１２２】
図７に示すように、表示画面４１がガジェットの一例に相当し、その表示画面４１が、ブログ記事表示部３５に表示されている。
【０１２３】
なお、図７において他の図と同一の符号を示す部材は、同一の機能を有するものとする。
【０１２４】
図７の表示画面４１には、上記特定された商品４２〜４６が表示される。
【０１２５】
商品４２には、特定された商品の画像４２ａとしてオレンジの画像と、当該商品の商取引を行うためのリンク情報４２ｂと、購買履歴情報４２ｃが表示されている。
【０１２６】
リンク情報４２ｂには、画像４２ａで示されるオレンジを販売する店舗サイトへアクセスするためのリンクが張られている。このリンク情報４２ｂがユーザの操作に基いて選択（例えば、マウスによるクリック）されると、上記店舗サイトにおいて、オレンジの購入処理が実行されるようになっている。
【０１２７】
そして、アプリサーバ４は、リンク情報４２ｂを経由して取引が行われた場合（即ち、リンク情報４２ｂに張られたリンクに基いて店舗サイトでオレンジが購入された場合）には、特定情報ＤＢ２２４のブログＩＤに対応する報酬情報に、具体的な報酬情報（例えば、所定の金額又はクーポン券等）を設定（登録）するようになっている。
【０１２８】
また、購買履歴情報４２ｃには、商品４２が取引（販売）される様子が示されている。
【０１２９】
商品４２に示される例では、アプリサーバ４は、購買履歴情報ＤＢ１２６を参照して商品４２を示す商品ＩＤを特定する。商品ＩＤには、購入者ＩＤ及び購入店舗ＩＤが対応付けて記憶されているため、アプリサーバ４は、商品４２が販売された数量を取得することができる。そして、システム制御部２４（図４参照）の判定手段は、商品４２が販売された数量が、予め定められた数量を超えたか否か判定する。
【０１３０】
判定手段は、商品４２の販売された数量が、予め定められた数量を超えたと判定した場合に、商売履歴情報４２ｃに、商品４２を購入したユーザ情報（ユーザ名又はユーザＩＤ等）を表示する。
【０１３１】
一方、商品４２の販売された数量が、予め定められた数量を超えていないと判定した場合には、商売履歴情報４２ｃに、販売された数量を記憶する。
【０１３２】
購買履歴情報４２ｃに示す例では、上記予め定められた数量として３が設定されており、アプリサーバ４が商品ＩＤに示す商品が３個以上販売されたことを検出したため、商品４２を購入したユーザＩＤが示す名前として、○○様、××様、及び△△様が表示されている。
【０１３３】
ユーザは、販売される商品の情報を閲覧しただけでは、当該商品の購入を躊躇する（迷う）場合がある。例えば、上記商品が果物であった場合には、ユーザは実際に試食することによって味を確かめてからでないと購入すべきでないとの思いから、当該商品の購入を躊躇してしまう場合もある。
【０１３４】
しかし、ユーザは、自己が購入を躊躇する商品が一定のユーザによって購入されている情報（即ち、購買履歴情報４２ｃに示される情報）を取得することにより、当該商品について安心感を抱き、購入を後押しする場合がある。
【０１３５】
なお、上記予め定められた数量としては、整数が設定されているが、この値は任意に設定することができる。例えば、商品の販売価格が安く大量に購入される場合には、上記数量を大きく（多く）設定するようにしてもよいし、商品が高価なものであまり購入されないような場合には、上記数量を小さく（少なく）するようにしてもよい。
【０１３６】
なお、上述したアプリサーバ４が、上記特定した商品の購買履歴情報を取得する方法はＰＵＬＬ型と称される（以下、「ＰＵＬＬ型」という）が、ＰＵＳＨ型と称される方法（以下、「ＰＵＳＨ型」という）によって、当該購買履歴情報を取得することもできる。
【０１３７】
ＰＵＬＬ型では、アプリサーバ４は、予め設定された期間毎に、購買履歴情報ＤＢ１２６を参照して、特定した商品の販売された情報を取得する。
【０１３８】
一方、ＰＵＳＨ型では、例えば、購買履歴情報ＤＢ１２６に記憶される特定された商品についての情報が更新された場合に、当該更新情報がアプリサーバ４へ送信される。
【０１３９】
具体的には、特定された商品が新たに購入された場合には、購買履歴情報ＤＢ１２６には、当該商品の商品ＩＤに対応付けて、購入者ＩＤや購入者店舗ＩＤが更新情報として記憶される。この更新情報が記憶された場合に、当該更新情報がアプリサーバ４へ送信されるようになっている。
【０１４０】
なお、上記ＰＵＬＬ型及びＰＵＳＨ型は、公知の技術であるため詳しい説明は省略するが、ＰＵＬＬ型はＡＪＡＸを、ＰＵＳＨ型はｈｔｍｌ５を適用することによって実現することができる。
【０１４１】
上記アプリサーバ４は、ＰＵＳＨ型を適用することにより、特定された商品が新たに購入される毎に上記更新情報を受信し、購買履歴情報４２ｃに表示することができるため、ブログを閲覧するユーザは、商品の取引の様子をよりリアルタイムに把握することができる。
【０１４２】
図７の説明に戻り、閲覧情報４３ｃについて説明する。この閲覧情報４３ｃは、システム制御部２４（図４参照）の認定手段が認定したユーザ端末数により定められるものとする。
【０１４３】
そして、図７に示した例では、システム制御部２４（図４参照）の認定手段が、ブラウザ属性情報ＤＢ１２５を参照して、商品４３の情報に対応するＷｅｂページが送信されたユーザ端末数について認知する。
【０１４４】
そして、システム制御部２４は、上記ユーザ端末数に対応する閲覧情報４３ｃを、商品４３の情報を含むＷｅｂページを閲覧するユーザの人数として、表示画面４１に表示する。
【０１４５】
商品４３には、特定された商品の画像４３ａとしてリンゴの画像と、当該リンゴを販売する店舗サイトへアクセスするためのリンクが張られたリンク情報４３ｂと、商品４３の情報が示されるＷｅｂページを閲覧するユーザの人数として５人が示された閲覧者情報４３ｃが表示されている。
【０１４６】
この閲覧者情報４３ｃによって、例えば、ユーザは、提供された情報に示される商品が他のユーザにも閲覧されていることを把握することができるため、安心して当該商品を購入しようと決断するきっかけを与え、よりユーザに購買意欲を惹起させる情報を提供することができる。
【０１４７】
次に、システム制御部２４（図４参照）の認定手段が、後述する決済情報に基いて、ユーザ端末数を認定する処理にいて説明する。
【０１４８】
まず、認定手段は、ブラウザ属性情報ＤＢ１２５を参照して、商品４４に関するＷｅｂページや商品４４の決済情報が表示されているユーザ端末数を認定する。
【０１４９】
この決済情報が示されるＷｅｂページとは、例えば、店舗サイトのホームページにおける買い物カゴを示すＷｅｂページが該当する。買い物カゴを示すＷｅｂページとは、店舗サイトで購入を望む商品を一時的に記憶したことを示すページである。そして、ユーザは、購入決定の操作を行うことで、商品の購入から精算・届け先の指定といった操作に進むことが出来る。
【０１５０】
そして、図７に示した例では、特定された商品の画像４４ａとしてイチゴの画像と、当該イチゴを販売する店舗サイトへアクセスするためのリンクが張られたリンク情報４４ｂと、商品４４の決済情報が示されるＷｅｂページを閲覧するユーザの人数として３人が示された購入者情報４４ｃが表示されている。
【０１５１】
この閲覧者情報４４ｃによって、ユーザは、提供された情報に示される商品が他のユーザによってこれから購入される予定があることを把握することができるため、安心して当該商品を購入しようと決断するきっかけを与え、よりユーザに購買意欲を惹起させる情報を提供することができる。
【０１５２】
商品４５には、特定された商品の画像４５ａとしてのリンゴの画像と、当該リンゴを販売する店舗サイトへアクセスするためのリンクが張られたリンク情報４５ｂと、当該店舗サイトにおける上記イベント情報が表示されるイベント情報４６ｃが表示される。
【０１５３】
イベント情報４６ｃには、上記商品を販売する「○○ショップ」では、全品５％ＯＦＦセールを開催しているとのイベント情報が表示されている。
【０１５４】
商品４５に示される例では、アプリサーバ４は、店舗ＤＢ１２３に記憶されるリンク情報４５ｂが示す店舗ＩＤに対応したイベント情報を取得し、当該イベント情報を表示する。
【０１５５】
商品４６には、特定された商品の画像４６ａとしてのリンゴの画像と、当該リンゴを販売する店舗サイトへアクセスするためのリンクが張られたリンク情報４６ｂと、閲覧者情報４６ｃが表示されている。
【０１５６】
閲覧者情報４６ｃには、商品４６の情報が示されるＷｅｂページを閲覧するユーザの人数として５人を示すオブジェクトが表示されている。
【０１５７】
このように、商品の情報が示されるＷｅｂページを閲覧するユーザの数に応じた情報や、前記商品の決済に関する情報が示されるＷｅｂページを閲覧するユーザに応じた情報として、当該ユーザの数を示すオブジェクトを表示するようにしてもよい。
【０１５８】
なお、アプリサーバ４が商品を特定する判断基準は上述した例に限られず任意に選択することができる。
【０１５９】
例えば、アプリサーバ４は、Ｗｅｂページの閲覧期間（時間）に応じて、商品を特定するように構成してもよい。
【０１６０】
具体的には、アプリサーバ４は、上記ブラウザ属性情報ＤＢ１２５に記憶されるユーザＩＤに対応するＷｅｂページを閲覧した時間を参照して、ユーザが閲覧した複数のＷｅｂページの閲覧期間のうち、最も長い閲覧期間を示すＷｅｂページを特定する。
【０１６１】
そして、アプリサーバ４は最も長い期間閲覧されていたＷｅｂページに含まれる商品情報に基づいて、商品を特定するように構成してもよい。
【０１６２】
また、ユーザの住所に応じて商品を特定する場合には、アプリサーバ４は、上記住所より遠隔地で流行又は生産される商品をするようにしてもよい。
【０１６３】
また、アプリサーバ４は、表示制御情報ＤＢ２２５を参照して、商品毎に設定された表示速度に応じて、商品４２〜４６を表示するようにしてもよい。この場合、アプリサーバ４は、表示制御情報ＤＢ２２５に記憶される商品ＩＤに対応する表示速度に応じて、システム制御部２４によって設定された表示画面４１内において、商品４２〜商品４６をスクロール表示するようになっている。
【０１６４】
スクロール表示の一例としては、例えば商品４２等の表示を画面上方へ、所定の時間（Ｔ＝0.1ｓ（秒）等）毎に、所定のピクセル分移動させる。
【０１６５】
［５．情報提供システムＳの動作］
次に、本発明の一実施形態に係る情報提供システムＳの動作について、図８を用いて説明する。
【０１６６】
図８は、本発明の一実施形態に係る情報提供システムＳの動作を示すシーケンス図である。
【０１６７】
図８に示すように、ユーザ端末１−ｋにおいてＷｅｂブラウザが起動後、ブログのＵＲＬが指定されると、ユーザ端末１−ｋからアプリサーバ４へアクセス要求（例えば、ＨＴＴＰリクエスト）が送信される（ステップＳ１）。
【０１６８】
上記アクセス要求を受信したアプリサーバ４のシステム制御部２４は、ブログ画面を閲覧するユーザのユーザ端末１−ｋに記憶されるクッキーを参照して、ユーザＩＤを特定する（ステップＳ２）。
【０１６９】
具体的には、システム制御部２４は、上記クッキーに含まれるユーザＩＤに対応したブラウザ属性情報の送信要求を、ショッピングサーバ３へ送信する（ステップＳ３）。
【０１７０】
ショッピングサーバ３のシステム制御部１４は、ブラウザ属性情報ＤＢ１２５を参照して、上記ブラウザ属性情報を検索し（ステップＳ４）、アプリサーバ４へ送信する（ステップＳ５）。
【０１７１】
システム制御部２４は、上記ブラウザ属性情報を受信すると（ステップＳ６）、受信した上記ブラウザ属性情報に基いて商品を特定する（ステップＳ７）。
【０１７２】
そして、システム制御部２４は、特定した商品の購買履歴情報の送信要求を、ショッピングサーバ３へ送信する（ステップＳ８）。
【０１７３】
次に、システム制御部１４は、受信した送信要求に基いて購買履歴情報ＤＢ１２６を参照して、特定した商品の商品ＩＤに対応する購買履歴情報を検索し（ステップＳ９）、アプリサーバ４へ送信する（ステップＳ１０）。
【０１７４】
システム制御部２４は、特定した商品と、特定した商品の購買履歴情報とを含む上記ガジェットを生成する（ステップＳ１１）。
【０１７５】
そして、システム制御部２４は、上記ガジェットを組み込んだブログ情報を、ユーザ端末１−ｋへ送信する（ステップＳ１２）。
【０１７６】
そして、ユーザ端末１−ｋは、受信した上記ブログ情報を表示する（ステップＳ１３）。
【０１７７】
また、ユーザ端末１−ｋによってリンク情報を経由して取引がなされた場合には（ステップＳ１４）、システム制御部２４は、特定情報ＤＢ２２４のブログＩＤに対応する報酬情報に、具体的な報酬情報を設定する（ステップＳ１５）。そして、アプリサーバ４は、ユーザ端末１−ｋにステップＳ１５にて設定した報酬情報を送信する（ステップＳ１６）。
【０１７８】
なお、この報酬は、購買履歴情報に示される店舗サイトで商品を購入する者に与えるようにしてもよい。この場合、システム制御部２４は、特定情報ＤＢ２２４に、ショッピングサーバ３における商品購入者に支払われる報酬情報と購入者ＩＤとを対応付けて記憶する。
【０１７９】
また、システム制御部２４は、表示制御情報ＤＢ２２５を参照して、商品毎に設定された閾値に応じて、システム制御部２４によって設定された表示画面に表示される商品の表示画像の大きさを変更するようにしてもよい。閾値としては、整数（例えば閾値Ｘ＝１０等）等が用いられる。
【０１８０】
図９は、商品の表示画像の大きさを変更した場合の画面例である。なお、図９において他の図と同一の符号を示す部材は、同一の機能を有するものとする。
【０１８１】
図９に示すように、システム制御部２４によって設定された表示画面５１には、特定された商品として商品５２〜５６が表示されている。
【０１８２】
ここで、商品５２に示される商品の画像５２ａと、商品５４に示される商品の画像５４ａは、他の特定された商品の画像５３ａ及び５５ａよりも、表示サイズが大きくなっている。
【０１８３】
ここでは、システム制御部２４は、表示制御情報ＤＢ２２５を参照して、商品毎に設定された閾値に応じて表示サイズを変更するようになっている。
【０１８４】
具体的には、商品ＩＤに対応する閾値が大きいほど、商品の画像を大きくするようになっている。従って、図９に示す例では、商品５２と商品５４の閾値は、他の特定された商品の閾値よりも大きい。
【０１８５】
以上説明した実施形態において、システム制御部２４によって設定された表示画面４１には、ショッピングサーバ３の店舗サイトにおいて取り扱われる商品についての情報が表示されるようになっているが、これに限定されず任意に選択することができる。
【０１８６】
例えば、システム制御部２４によって設定された表示画面４１に、オークションサイトで出品される商品についての情報を表示するようにしてもよい。
【０１８７】
この場合、システム制御部２４は、商品を特定した後（図８のステップＳ７）、図示しないオークションサイトにアクセスして、特定した商品がオークションに出品されているか否かを検索する。そして、上記商品がオークションに出品されていた場合には、システム制御部２４は、システム制御部２４によって設定された表示画面４１に、オークションサイトで出品される商品についての情報を表示する。
【０１８８】
上述した例では、上記ガジェットにシステム制御部２４によって設定された表示画面４１を表示させるようになっているが、これに限定されず任意に選択することができる。
【０１８９】
具体的には例えば、表示画面４１を、ブログの中に組み込んで表示するようにしてもよい。このような表示態様を実現する方法は公知の技術であるため詳しい説明は省略するが、ブログ画面のレイアウトをＣＳＳ（Cascading Style Sheets．スタイルシートの一例）を用いて予め設定しておき、ＪＡＶＡ（登録商標）スクリプト等のスクリプト言語を用いた制御により、設定された位置に表示画面４１を表示させる。
【０１９０】
ここで、他の表示画面例について、図１０を用いて説明する。
【０１９１】
図１０は、他の画面例を示す図である。なお、図１０において他の図と同一の符号を示す部材は、同一の機能を有するものとする。
【０１９２】
図１０に示すように、システム制御部２４によって設定された表示画面６１には、特定された商品として商品４２〜４６が表示されている。
【０１９３】
表示画面６１は、表示画面４１（図７参照）と異なり、ブログ記事表示部３５の上部に表示されている。
【０１９４】
ブログは、表示画面４１を複数の分割領域に分割し、各分割領域毎に情報を表示させることができる。そして、一つの分割領域は、カラムと称される。
【０１９５】
システム制御部２４は、所定のカラムに分割したブログ画面を定義しておき、定義した画面を任意のタイミングで切り替えることができる。そして、システム制御部２４は、所定のカラムに、所定の情報を表示させることができる。これを、カラムレイアウトの切り替えと称する。
【０１９６】
図１０に示す例では、システム制御部２４は、３つのカラムに分割されたブログにおいて、表示画面６１に商品４２〜商品４６を表示するようになっている。
【０１９７】
このカラムレイアウトの切り替えは、公知技術であるため詳しい説明は省略するが、ＣＳＳ（Cascading Style Sheets．スタイルシートの一例）とＪａｖａスクリプトを用いて行うことができる。このブログ画面の分割態様は任意に設定することが可能である。
【０１９８】
なお、以上説明した実施形態は特許請求の範囲にかかる発明を限定するものではない。そして、上記実施形態の中で説明されている構成の組合せ全てが発明の課題解決に必須の手段であるとは限らない。また、上記実施形態の中で説明されている構成は、適宜組合わせて実施することが可能である。
【０１９９】
以上説明したように、システム制御部２４は、ブログの作成者を特定するブログＩＤを記憶し、ブログを閲覧するユーザＩＤに対応するブラウザ属性情報をブラウザ属性情報ＤＢ１２５から取得し、前記ブラウザ属性情報に基いて所定商品に対応する商品情報を特定し、当該商品情報から、当該商品の購買状況を示す購買情報を取得し、購買情報で示される商品の取引された数量が、予め定められた数量を超えた場合に、前記特定された商品と、当該商品の購買履歴情報と、当該商品の商取引を行うためのリンク情報を表示するガジェットを生成し、ブログに設定するように構成したため、ブログを閲覧するユーザに興味を抱かせ、購買意欲を惹起させる情報を提供することができる。
【符号の説明】
【０２００】
１−ｋ        ユーザ端末
２−ｋ        ユーザ端末
３            ショッピングサーバ
４            アプリサーバ
１１、２１    通信部
１２、２２    記憶部
１３、２３    入出力インターフェース部
１４、２４    システム制御部
１５、２５    システムバス
ＮＷ          ネットワーク
Ｓ            情報提供システム
【図１】
2012014418.tif 000003
【図２】
2012014418.tif 000004
【図３】
2012014418.tif 000005
【図４】
2012014418.tif 000006
【図５】
2012014418.tif 000007
【図６】
2012014418.tif 000008
【図７】
2012014418.tif 000009
【図８】
2012014418.tif 000010
【図９】
2012014418.tif 000011
【図１０】
2012014418.tif 000012